(57)【要約】【課題】  放送エリアが異なっている場合であっても、放送時刻やチャンネルを意識することなく番組予約をすること。【解決手段】  番組の録画指示に関する番組録画指示情報を情報端末装置１０３〜１０５から番組録画管理サーバー１０１へ送信し、番組録画指示情報に基づいて特定された番組に対応する録画チャンネル、録画開始時刻および録画終了時刻に関する録画情報を番組録画管理サーバー１０１から、情報端末装置１０３〜１０５とは異なる放送エリアの存在する録画装置１０７へ送信し、録画情報に基づいて録画装置１０７が番組を録画する。【選択図】      図１
2005101970.tif 000002
【特許請求の範囲】
【請求項１】
番組の録画指示に関する番組録画指示情報を送信する情報端末装置と、
前記情報端末装置から送信された番組録画指示情報に基づいて、録画する番組に対応する、少なくとも録画チャンネル、録画開始時刻および録画終了時刻に関する録画情報を特定するとともに該録画情報を送信する前記番組録画管理装置と、  
前記番組録画管理装置から送信された録画情報に基づいて番組を録画する録画装置と、によって構成されていることを特徴とする番組録画システム。
【請求項２】
情報端末装置から番組の録画指示に関する番組録画指示情報を受信する受信手段と、
前記受信手段によって受信された番組録画指示情報に基づいて、録画装置に録画させる番組に対応する、少なくとも録画チャンネル、録画開始時刻および録画終了時刻に関する録画情報を特定する特定手段と、
前記特定手段によって特定された録画情報を前記録画装置へ送信する送信手段と、
を備えたことを特徴とする番組録画管理装置。
【請求項３】
前記特定手段は、前記番組録画指示情報のうち前記情報端末装置が存在する位置情報に基づいて、前記録画情報を特定することを特徴とする請求項２に記載の番組録画管理装置。
【請求項４】
前記録画装置が存在する位置情報を記憶する録画装置記憶手段を備え、
前記特定手段は、前記録画装置が存在する位置情報に基づいて、前記録画情報を特定することを特徴とする請求項２または３に記載の番組録画管理装置。
【請求項５】
前記位置情報が含まれる放送地域ごとの番組の放送スケジュールに関する番組情報を記憶する記憶手段を備え、
前記特定手段は、前記記憶手段に記憶された番組情報を利用して、前記録画情報を特定することを特徴とする請求項３または４に記載の番組録画管理装置。
【請求項６】
放送中の番組または放送予定の番組の放送スケジュールに関する情報を受信する番組情報受信手段と、
前記番組情報受信手段によって受信された番組または番組の放送スケジュールに関する情報を表示する表示手段と、
前記表示手段に表示されている前記放送中の番組または前記放送スケジュールに関する情報にかかる放送予定の番組の録画指示の入力を受け付ける番組録画指示入力手段と、
前記番組録画指示入力手段によって入力が受け付けられた番組の録画指示に関する情報を送信する送信手段と、
を備えたことを特徴とする情報端末装置。
【請求項７】
前記送信手段は、前記番組を録画させる録画装置に関する情報を送信することを特徴とする請求項６に記載の情報端末装置。
【請求項８】
前記番組の録画の指示に関する情報に対する録画処理確認情報を受信する受信手段を備え、
前記表示手段は前記受信手段によって受信された動作確認情報を表示することを特徴とする請求項６または７に記載の情報端末装置。
【請求項９】
番組の録画指示に関する番組録画指示情報の入力を受け付ける番組録画指示情報入力工程と、
前記番組録画指示情報入力工程によって入力された番組録画指示情報に基づいて、録画装置に録画させる番組に対応する、少なくとも録画チャンネル、録画開始時刻および録画終了時刻に関する録画情報を特定する特定工程と、
前記特定工程によって特定された録画情報を出力する録画情報出力工程と、
を含んだことを特徴とする番組録画制御方法。
【請求項１０】
前記請求項９に記載の方法をコンピュータに実行させることを特徴とする番組録画制御プログラム。
【発明の詳細な説明】
【技術分野】
【０００１】
本発明は、番組録画システム、番組録画管理装置、情報端末装置、番組録画制御方法および番組録画制御プログラムに関する。ただし、本発明の利用は前述の番組録画システム、番組録画管理装置、情報端末装置、番組録画制御方法および番組録画制御プログラムには限らない。
【背景技術】
【０００２】
従来、インターネットなどのネットワークに接続された録画装置が存在し、電子メールを利用して、録画指示情報を外部端末装置から受信し、その録画指示情報に基づいて番組の録画を実行するものがあった。
【特許文献１】特開２００３−２０４４９８号公報
【発明の開示】
【発明が解決しようとする課題】
【０００３】
しかしながら、上記の従来技術では、たとえば、録画装置に対して、録画指示情報として、録画しようとする番組にかかる少なくとも録画チャンネル、録画開始時刻および録画終了時刻に関する情報を送信する必要がある。したがって、録画指示情報を送信する者は、当該録画しようとする番組の放送チャンネル、放送開始時刻および放送終了時刻を正確に知っておかなければ、録画装置に対して誤った録画指示情報を送信してしまうことになり、所望の番組を正確に録画することができないという不具合が生じる。
【０００４】
また、上記の従来技術では、かりに当該放送チャンネル、放送開始時刻および放送終了時刻を正確に知っており、正しく録画指示情報を送信したとしても、録画しようとする番組の放送時刻が突然変更されてしまうなどの事態に対応することができず、所望の番組が正確に録画できない場合があるという不具合が生じる。本発明は、そのような不具合を解消することを一つの課題としてなされたものである。
【課題を解決するための手段】
【０００５】
請求項１に記載の発明にかかる番組録画システムは、番組の録画指示に関する番組録画指示情報を送信する情報端末装置と、前記情報端末装置から送信された番組録画指示情報に基づいて、録画する番組に対応する、少なくとも録画チャンネル、録画開始時刻および録画終了時刻に関する録画情報を特定するとともに該録画情報を送信する前記番組録画管理装置と、前記番組録画管理装置から送信された録画情報に基づいて番組を録画する録画装置とによって構成されることを特徴とする。
【０００６】
また、請求項２に記載の発明にかかる番組録画管理装置は、情報端末装置から番組の録画指示に関する番組録画指示情報を受信する受信手段と、前記受信手段によって受信された番組録画指示情報に基づいて、録画装置に録画させる番組に対応する、少なくとも録画チャンネル、録画開始時刻および録画終了時刻に関する録画情報を特定する特定手段と、前記特定手段によって特定された録画情報を前記録画装置へ送信する送信手段とを備えたことを特徴とする。
【０００７】
また、請求項６に記載の発明にかかる情報端末装置は、放送中の番組または放送予定の番組の放送スケジュールに関する情報を受信する番組情報受信手段と、
前記番組情報受信手段によって受信された番組または番組の放送スケジュールに関する情報を表示する表示手段と、前記表示手段に表示されている前記放送中の番組または前記放送スケジュールに関する情報にかかる放送予定の番組の録画指示の入力を受け付ける番組録画指示入力手段と、前記番組録画指示入力手段によって入力が受け付けられた番組の録画指示に関する情報を送信する送信手段とを備えたことを特徴とする。
【０００８】
また、請求項９に記載の発明にかかる番組録画制御方法は、番組の録画指示に関する番組録画指示情報の入力を受け付ける番組録画指示情報入力工程と、前記番組録画指示情報入力工程によって入力された番組録画指示情報に基づいて、録画装置に録画させる番組に対応する、少なくとも録画チャンネル、録画開始時刻および録画終了時刻に関する録画情報を特定する特定工程と、前記特定工程によって特定された録画情報を出力する録画情報出力工程と、を含んだことを特徴とする。
【０００９】
また、請求項１０に記載の発明にかかる番組録画制御プログラムは、前記請求項９に記載された方法をコンピュータに実行させることを特徴とする。
【発明を実施するための最良の形態】
【００１０】
以下に添付図面を参照して、この発明にかかる番組録画システム、番組録画管理装置、情報端末装置、番組録画制御方法および番組録画制御プログラムの好適な実施の形態を詳細に説明する。
【００１１】
（番組録画システムの全体構成）
図１は、この発明の実施の形態にかかる番組録画システムの全体構成の一例を示すブロック図である。図１において、番組録画システムは、ネットワーク１００と、番組録画管理装置としての番組録画管理サーバー１０１と、番組情報データベース１０２と、情報端末装置の一例としての車載端末１０３と、別の一例として移動端末１０４と、別の一例としての固定端末１０５と、無線基地局１０６と、録画装置１０７とから構成される。また、１０８は、ＧＰＳ衛星である。
【００１２】
ここで、ネットワーク１００は、インターネット、ＬＡＮ、ＷＡＮ、公衆回線網や携帯電話網などであり、ネットワーク１００には、番組録画管理サーバー１０１、番組情報データベース１０２、固定端末１０５、無線基地局１０６、録画装置１０７がそれぞれ接続されており、ネットワーク１００を介して相互のデータ通信をおこなうことができる。
【００１３】
また、番組録画管理サーバー１０１は、情報端末装置からの録画指示に基づいて特定された番組に対応する、少なくとも録画チャンネル、録画開始時刻および録画終了時刻に関する録画情報をネットワーク１００を介して録画装置１０７へ送信する。なお、録画装置１０７へ録画情報を送信する際は、例えば、予め登録された録画装置のメールアドレスを用いて録画情報を録画コマンドとして送信する。
【００１４】
また、番組情報データベース１０２は、データベース管理システムを備え、番組録画管理サーバー１０１からのデータの要求に対して、該当するデータを提供する。また、番組情報データベース１０２は、番組録画管理サーバー１０１内に備えていてもよい。特に番組提供者（テレビ局など）が番組録画管理サーバー１０１を管理する場合に適している。
【００１５】
また、車載端末１０３は、たとえばテレビチューナー機能およびネットワーク接続機能を備えたカーナビケーション装置などであり、さらには、ＧＰＳ機能を備えていてもよい。また、移動端末１０４は、たとえば携帯電話機や、通信機能を備えたＰＤＡなどであり、車載端末１０３と同様に、たとえばテレビチューナー機能およびネットワーク接続機能、さらには、ＧＰＳ機能を備えていてもよい。これらは、無線基地局１０６を介してネットワーク１００に接続される。また、固定端末１０５は、パーソナルコンピュータであり、一般公衆回線などによってネットワーク１００に接続される。これらの情報端末装置は、番組の録画指示に関する番組録画指示情報をネットワーク１００を介して番組録画管理サーバー１０１へ送信する。
【００１６】
また、無線基地局１０６は、車載端末１０３または移動端末１０４からの電波を受信するとともに車載端末１０３または移動端末１０４へ電波を送信することによって、車載端末１０３または移動端末１０４をネットワーク１００に接続させる。
【００１７】
また、録画装置１０７は、録画情報に基づいて番組を録画する。たとえば各家庭内に設置されたビデオレコーダー、ＨＤ（ハードディスク）レコーダー、ＤＶＤレコーダーなどであり、放送される番組を受信するチューナー機能と、受信した番組を録画する録画機能を備えている。特に長時間録画可能なＨＤレコーダーが適している。さらに、ネットワーク１００に一般公衆回線や光ファイバなどによって接続され、ネットワーク１００を介して受信する情報に基づいて動作する機能を備えている。例えば、ネットワーク１００を介して情報を受信した際には電源を立ち上げて、受信した情報（録画コマンド）に従い番組録画予約を自動設定してスタンバイ状態とする。なお、受信した情報が現在放送中の番組に係るものであった場合には、そのまま録画を開始する。
【００１８】
また、録画装置１０７自体が移動可能な装置（たとえば車載の録画装置など）であってもよく、その場合、ＧＰＳなどの機能を備えているとよい。録画装置１０７がたとえば車載の録画装置である場合には、当該自動車などの移動体がどの場所へ移動したとしても、その位置およびその位置に対応する放送エリアを把握することで、所望の番組を確実に録画することができる。
【００１９】
ここで、図１にあっては、録画装置１０７の存在位置が放送エリアＡにあり、情報端末装置である車載端末１０３，移動端末１０４、固定端末１０５の存在位置が放送エリアＡとは異なる放送エリアＢにあるものとする。
【００２０】
（ハードウエア構成）
つぎに、この発明の実施の形態にかかる番組録画システムを構成する各装置（番組録画管理サーバー１０１、車載端末１０３、移動端末１０４、固定端末１０５）のハードウエア構成について説明する。図２は、この発明の実施の形態にかかるに番組録画システムを構成する各装置のハードウエア構成を示すブロック図である。図２において、２０１は各装置全体を制御するＣＰＵを、２０２は各装置の基本処理プログラムを記憶したＲＯＭを、２０３は、ＣＰＵ２０１のワークエリアとして使用されるＲＡＭを、それぞれ示している。また、２０４は、ＣＰＵ２０１の制御にしたがってデータのリード／ライトを実行するＨＤＤ（ハードディスクドライブ）をそれぞれ示している。
【００２１】
また、２０６は、ＣＰＵ２０１の制御にしたがってＣＤ（コンパクトディスク）／ＤＶＤ（デジタルバーサタイルディスク）２０７に対するデータのリード／ライトを実行するＣＤ／ＤＶＤドライブを、２０７はＣＤ／ＤＶＤドライブ２０６の実行により記録されたデータが読み出される着脱自在のＣＤ／ＤＶＤを、それぞれ示している。ＣＤ／ＤＶＤ２０７は、書き込み可能なディスク媒体を利用することもできる。また、２０８は、映像／音声Ｉ／Ｆ（インターフェイス）であり、この映像／音声Ｉ／Ｆ２０８を介して映像表示用のディスプレイ２０９と、音声出力用のスピーカ（あるいはヘッドホン）２１０が接続されている。ディスプレイ２０９には、カーソル、メニュー、ウインドウ、あるいは文字や画像等の各種データが表示され、スピーカ２１０からは音声が出力される。
【００２２】
また、２１１は、入力Ｉ／Ｆであり、この入力Ｉ／Ｆ２１１を介して文字、数値、各種指示等の入力のための複数のキーを備えたリモコン２１２やポインティングデバイス２１３が接続される。また、図示は省略するが必要に応じて出力Ｉ／Ｆを設け、この出力Ｉ／Ｆを介して文字や画像を光学的に読み取るスキャナや、文字や画像を印刷するプリンタを接続することができる。また、２１４は、通信Ｉ／Ｆであり、この通信Ｉ／Ｆ２１４は、無線、あるいは通信ケーブルを介してネットワーク１００に接続され、このネットワーク１００とＣＰＵ２０１とのＩ／Ｆとして機能する。
【００２３】
また、２１５は、チューナーであり、アンテナ２１６によって受信した電波を映像や音声に変換し、ディスプレイ２０９に表示する。また、ＧＰＳ制御部２１７は、ＧＰＳ衛星１０８からの電波を受信し、ＧＰＳ衛星１０８との幾何学的位置を求めるものであり、地球上どこでも計測可能である。電波としては、１．５７５．４２ＭＨｚの搬送波で、Ｃ／Ａ（Ｃｏａｒｓｅ  ａｎｄ  Ａｃｃｅｓｓ）コードおよび航法メッセージが乗っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。なお、２１８は上記各部を接続するためのバスを示している。
【００２４】
（番組録画管理サーバーの機能的構成）
つぎに、この発明の実施の形態にかかる番組録画管理システムの番組録画管理サーバーの内容について説明する。図３は、この発明の実施の形態にかかる番組録画管理サーバーの機能的構成を示すブロック図である。図３において、番組録画管理サーバー１０１は、受信手段の一例としての番組録画指示情報受信部３０１と、特定手段の一例としての録画情報特定部３０２と、送信手段の一例としての録画情報送信部３０３と、録画動作確認情報受信部３０４と、録画処理確認情報送信部３０５と、を含む構成となっている。
【００２５】
ここで、番組録画指示情報受信部３０１は、情報端末装置１０３〜１０５から番組の録画指示に関する番組録画指示情報を受信する。番組録画指示情報とは、たとえば、情報端末装置１０３〜１０５の存在位置を示す位置情報や、その現在位置における放送エリア（図１の場合では放送エリアＢ）での現在放送中の番組あるいは放送予定の番組であって録画指示がある番組に関する情報、例えば、放送番組名、放送開始時間等が含まれる。なお、録画装置１０７の指定に関する情報が含まれてもよい。これによって、録画装置１０７が複数ある場合に、所望の録画装置１０７に録画をさせるようにすることができる。したがって、移動予定先の録画装置１０７を指定することによって、ユーザのスケジュールにあわせて、効率よく録画された番組を視聴することができる。
【００２６】
また、番組録画指示情報には、録画を指示した番組に関連する情報、たとえば、連続ドラマなどの続編についてもあわせて録画する旨の指示に関する情報が含まれる。また、再放送があればその再放送を録画する旨の指示に関する情報も含まれる。これは、放送エリアによって放送開始時刻が異なることから、番組の最初から録画できない場合に有効である。また、放送エリアによって放送開始時刻が異ならない場合であっても、途中から視聴した番組に興味を引かれ、最初から視聴したいという場合にも有効である。
【００２７】
さらに、番組録画指示情報受信部３０１は、録画処理確認情報送信部３０５によって情報端末装置１０３〜１０５へ送信された情報に対するレスポンス情報もあわせて受信する。具体的には、『再放送を録画しますか』という質問に対する回答『Ｙｅｓ』または『Ｎｏ』に関する情報を受信する。
【００２８】
また、録画情報特定部３０２は、番組録画指示情報受信部３０１によって受信された番組録画指示情報に基づいて、番組情報データベース１０２に記憶されている番組情報を利用することにより録画装置１０７に録画させる番組に対応する、少なくとも録画チャンネル、録画開始時刻および録画終了時刻に関する録画情報を特定する。録画情報特定部３０２は、番組録画指示情報に含まれる情報端末装置１０３〜１０５の存在位置を示す位置情報と録画装置１０７が存在する位置情報に基づいて、番組情報を検索する放送エリアを特定する。情報端末装置１０３〜１０５の位置情報に対応する放送エリアと番組情報データベース１０２における録画装置１０７が存在する位置情報の放送エリアとが相違する場合には、その録画装置１０７が存在する位置情報に基づいて放送エリアを特定する。例えば、情報端末装置１０３〜１０５の位置情報が放送エリアＢ内の任意の位置であることを示すものであり、録画装置が存在する位置情報が放送エリアＡ内の位置を示すものであった場合には放送エリアＢを特定する。そして、特定された放送エリアにおける番組情報から、たとえば、番組録画指示情報に含まれる放送番組名や、各番組ごとに付与された番組ＩＤなどをキーとして同一番組の検索をおこない、録画装置１０７が存在する放送エリアにおいて、録画の対象となる、検索された同一番組に対応する、少なくとも録画チャンネル、録画開始時刻および録画終了時刻に関する録画情報を特定する。なお、情報端末装置１０３〜１０５の位置情報に対応する放送エリアと番組情報データベース１０２における録画装置１０７の位置情報に対応する放送エリアとに相違がない場合には、受信した情報端末装置１０３〜１０５の位置情報に基づいて録画情報を特定してもよい。また、番組録画指示情報に録画装置の位置情報が含まれている場合にはその情報に基づき録画情報を特定してもよい。
【００２９】
録画情報特定部３０２は、具体的には、たとえば図２に示したＲＯＭ２０２、ＲＡＭ２０３、ＨＤ２０５およびＣＤ／ＤＶＤ２０７等に記録されたプログラムをＣＰＵ２０１が実行することによってその機能を実現する。また、上記位置情報の取得に関しては、たとえば情報端末装置１０３〜１０４あるいは移動型の録画装置１０７に搭載された図２に示したＧＰＳ制御部２１７によってその機能を実現する。また、固定端末１０５や固定型の録画装置１０７にあっては、あらかじめ位置情報を自装置内あるいは番組情報データベース１０２に登録しておき、そのデータを自装置の位置情報とする。
【００３０】
また、録画情報送信部３０３は、録画情報特定部３０２によって特定された少なくとも録画チャンネル、録画開始時刻および録画終了時刻に関する録画情報を録画装置１０７へ送信する。録画情報送信部３０３は、メールサーバーによって構成されていてもよい。
【００３１】
また、録画動作確認情報受信部３０４は、録画装置１０７から録画処理確認情報を受信する。録画処理確認情報についての詳細は後述する。また、録画処理確認情報送信部３０５は、録画動作確認情報受信部３０４によって受信された録画処理確認情報の内容および録画情報特定部３０２によって特定された情報に基づく内容を情報端末装置１０３〜１０５へ送信する。番組録画指示情報受信部３０１、録画情報送信部３０３、録画動作確認情報受信部３０４、録画処理確認情報送信部３０５は、具体的には、たとえば図２に示した通信Ｉ／Ｆ２１４によってその機能を実現する。
【００３２】
（録画処理確認情報の一例）
つぎに、録画処理確認情報の具体例について説明する。録画処理確認情報としては、具体的には、たとえば、『予約可能な再放送が見つかりました。設定を再放送に変更しますか？』や、『録画時間がぶつかっている録画機器側の予約をキャンセルしますか？』や、『連続番組のスケジュールが確認されました。週間予約しますか？』や、『連続番組のスケジュールが確認されました。ディリィ予約しますか？』や、『番組開始時刻が変更になる可能性があります。サーバー側自動開始設定に変更しますか？』や、『番組放送チャンネルおよび録画時間が変更になる可能性があります。サーバー側自動開始設定に変更しますか？』や、『番組は○○時□□分から●●チャンネルに変更されて放送されます。続けて録画設定をおこないますか？』や、『番組が延長されています。サーバー側自動予約へ切り替えますか？』や、『番組が○○時□□分まで延長されます。予約を延長しますか？』や、『○○時終了予定の■■が放送延長され、番組開始時刻が未定の状態です。サーバー自動予約へ切り替えますか？』や、『○○時終了予定の■■が放送延長され、番組が放送中止になりました。録画予約をキャンセルしますか？』などが挙げられる。
【００３３】
また、設定終了メッセージとして、具体的には、たとえば、『■■の番組予約を受け付けました。』や、『■■の番組予約をサーバー自動設定で受け付けました。』や、『■■の番組予約を取り消しました。』などが挙げられる。また、録画状態確認メッセージとして、具体的には、たとえば、『○○の録画依頼は□□時××分に録画スタートしました。』や、『○○の録画依頼は録画機器側でキャンセルされました。』や、『現在、録画中です。』や、『録画は正常に終了しました。』や、『番組開始時刻が○○の影響で変更になりましたので録画機器の設定を自動変更しました。』などが挙げられる。
【００３４】
また、情報確認メッセージとして、具体的には、たとえば、『同一の番組が複数見つかりました。一覧を表示しますか？』や、『録画設定可能な候補が複数見つかりました。一覧を表示しますか？』や、『▲▲エリアにある録画機器★で○○時□□分から●●チャンネルで予約が可能です。』や、『番組開始時刻が○○の影響で変更になりました。』や、『番組が延長されています。』や、『番組が○○時□□分まで延長されます。』や、『○○時終了予定の■■が放送延長され、番組開始時刻が未定の状態です。』や、『○○時終了予定の■■が放送延長され、番組が放送中止になりました。』などが挙げられる。なお、これらの録画処理確認情報は、番組表示部４０２に表示するとともに、あるいは表示の代わりに、図２に示したスピーカ２１０を用いて、音声などによって通知するようにしてもよい。
【００３５】
（情報端末装置の機能的構成）
つぎに、この発明の実施の形態にかかる情報端末装置１０３〜１０５の番組録画管理システムの内容について説明する。図４は、この発明の実施の形態にかかる情報端末装置の機能的構成を示すブロック図である。図４において、情報端末装置１０３〜１０５は、番組情報受信手段の一例としての番組情報受信部４０１と、表示手段の一例としての番組表示部４０２と、番組録画指示入力手段の一例としての番組録画指示入力部４０３と、情報端末装置における送信手段の一例としての番組録画指示情報送信部４０４と、録画処理確認情報受信部４０５と、現在位置情報取得部４０６と、を含む構成となっている。
【００３６】
ここで、番組情報受信部４０１は、放送中の番組または放送予定の番組の放送スケジュールに関する情報を受信する。番組の放送スケジュールに関する情報は、番組と同様の方法で受信してもよく、また、録画処理確認情報受信部４０５を介して、番組録画管理サーバー１０１から受信するようにしてもよい。番組情報受信部４０１は、具体的には、たとえば図２に示したアンテナ２１６およびチューナー２１５によってその機能を実現する。また、番組表示部４０２は、番組情報受信部４０１によって受信された番組または番組の放送スケジュールに関する情報を表示する。番組表示部４０２は、具体的には、たとえば図２に示したディスプレイ２０９によってその機能を実現する。
【００３７】
また、番組録画指示入力部４０３は、番組表示部４０２に表示されている放送中の番組または放送スケジュールに関する情報にかかる放送予定の番組の録画指示の入力を受け付ける。番組録画指示入力部４０３は、具体的には、たとえば、リモコン２１２またはポインティングデバイス（タッチパネルも含む）２１３によってその機能を実現する。ユーザは、番組表示部４０２に表示された放送スケジュールの中から所望の番組を選択してもよく、また、現在放送中の番組を指定するようにしてもよい。番組の選択は、リモコン２１２あるいはポインティングデバイス（タッチパネルも含む）２１３によっておこなうことができる。
【００３８】
また、番組録画指示情報送信部４０４は、番組録画指示入力部４０３によって入力が受け付けられた番組の録画指示に関する番組録画指示情報を番組録画管理サーバー１０１へ送信する。なお、上述したように番組録画指示情報には、後述する現在位置情報取得部４０６により取得された位置情報とが含まれている。番組録画指示情報送信部４０４は、具体的には、たとえば図２に示した通信Ｉ／Ｆ２１４によってその機能を実現する。また、録画処理確認情報受信部４０５は、番組録画管理サーバー１０１から番組の録画指示に関する番組録画指示情報に対する録画処理確認情報を受信する。録画処理確認情報受信部４０５は、具体的には、たとえば図２に示した通信Ｉ／Ｆ２１４によってその機能を実現する。その際、番組表示部４０２は、録画処理確認情報受信部４０５によって受信された動作確認情報を表示する。
【００３９】
また、現在位置情報取得部４０６は、自端末の現在位置に関する情報を取得し、番組録画指示情報送信部４０４へ出力する。現在位置情報取得部４０６は、具体的には、たとえば図２に示すＧＰＳ制御部２１７によってその機能を実現する。
【００４０】
（番組情報データベースの構成）
つぎに、この発明の実施の形態にかかる番組録画システムの番組情報データベース１０２の構成について説明する。図５は、この発明の実施の形態にかかる番組録画システムの番組情報データベースの構成を示す説明図である。図５において、番組情報データベース１０２は、ユーザ情報ＤＢ５０１と、録画装置情報ＤＢ５０２と、チャンネル情報ＤＢ５０３と、番組スケジュール情報ＤＢ５０４と、から構成される。
【００４１】
ここで、ユーザ情報ＤＢ５０１は、たとえば図６に示すように、ユーザＩＤおよびＰＡＳＳＷＯＲＤからなる。さらに、固定端末１０５を有するユーザの場合に、固定端末１０５の放送エリア情報も含まれる。このように、固定端末１０５の場合は、地域情報あるいは放送エリアに関する情報をユーザ情報ＤＢにあわせて登録しておくようにしてもよい。この情報から固定端末１０５の放送エリアを取得する。
【００４２】
また、録画装置情報ＤＢ５０２は、たとえば図７に示すように、ユーザＩＤに対応させ、そのユーザの録画装置１０７に関する録画装置情報からなる。例えば、同図に示す録画装置情報では、機器番号「ＴＶ録画機器１」の放送エリア情報として「埼玉県川越市」となっている。つまり、「ＴＶ録画機器１」の存在位置を示す位置情報が「埼玉県川越市」内であり、その放送エリアの番組が録画できるということを示している。また、チャンネル情報ＤＢ５０３は、たとえば図８に示すように放送局のチャンネル番号と、録画装置１０７のチャンネル番号との対応関係を示すテーブルからなる。これらの情報に基づいて、録画チャンネル情報を含む録画装置１０７の情報を制御するための録画情報の内容を決定する。
【００４３】
また、番組スケジュール情報ＤＢ５０４は、放送地域（エリア）ごとの番組の放送スケジュールに関する番組情報を記憶している。具体的には、たとえば図９に示すように、番組ごとに各放送エリア（放送エリアＡ、放送エリアＢ、放送エリアＣ、・・・）における放送開始日時、終了日時、チャンネル番号が格納されている。また、続編などの関連番組の有無、再放送の有無、放送時間の延長、変更の可能性などに関する情報が格納されている。
【００４４】
さらに、番組スケジュール情報ＤＢ５０４は、番組の放送開始日時、終了日時などの変更に関する情報を、図示を省略する各放送局などの情報源からネットワーク１００を介して所定時間隔ごとに取得し、あるいは、上記各放送局から送信される上記情報を受信することによって、常に最新の番組情報を記憶しておくようにするとよい。その際に、放送状況に関するステータス情報（たとえば『未放送』、『放送中』、『放送終了』『放送中止』など）もあわせて記憶しておくとよい。
【００４５】
（番組録画管理サーバーの処理手順）
つぎに、この発明の実施の形態にかかる番組録画管理サーバー１０１の処理の手順について説明する。図１０、図１２、図１５および図１７は、この発明の実施の形態にかかる番組録画管理サーバーの処理の手順を示すフローチャートである。また、図１１、図１３、図１４、図１６、図１８、図１９および図２０は、この発明の実施の形態にかかる情報端末装置に表示される表示画面の一例を示す説明図である。
【００４６】
図１０において、まず、情報端末装置１０３〜１０５から、ログイン要求があるのを待って（ステップＳ１００１）、ログイン要求があった場合（ステップＳ１００１：Ｙｅｓ）は、つぎに、ユーザの照合をおこなう（ステップＳ１００２）。ユーザの照合は、たとえばユーザＩＤ、パスワードの入力をおこなわせ、その内容を図６に示したユーザ情報ＤＢ５０１に登録されているデータと照合することによっておこなわれる。
【００４７】
そして、承認（ＯＫ）かどうかを判断する（ステップＳ１００３）。ここで、承認されなかった場合（ステップＳ１００３：Ｎｏ）は、エラー通知を情報端末装置へ送信し（ステップＳ１００４）、情報端末装置において表示する。図１１は、その際に情報端末装置において表示されるエラー通知の一例を示している。ユーザによって『確認』ボタン１１０１が押下されることによって、この表示画面を消去し、一連の処理は終了する。また、エラー通知は、図２に示したスピーカ２１０を用いて、音声によっておこなうようにしてもよい。以下のエラー通知も同様である。
【００４８】
ステップＳ１００３において、承認された場合（ステップＳ１００３：Ｙｅｓ）は、つぎに、番組録画指示情報を受信したか否かを判断する（ステップＳ１０００５）。ここで、番組録画指示情報を受信しなかった場合（ステップＳ１００５：Ｎｏ）は、ログアウト要求があるのを待って（ステップＳ１００６）、ログアウト要求があった場合（ステップＳ１００６：Ｙｅｓ）は、一連の処理を終了する。
【００４９】
一方、番組録画指示情報を受信した場合（ステップＳ１００５：Ｙｅｓ）は、つぎに、番組録画指示情報に含まれる情報端末装置の位置情報を取得する（ステップＳ１００７）。その後、録画装置情報取得処理をおこなう（ステップＳ１００８）。録画装置情報取得処理の詳細な内容は後述する。つぎに、録画情報特定処理をおこなう（ステップＳ１００９）。録画情報特定処理の詳細な内容についても後述する。つぎに、番組録画指示情報あるいは録画情報特定処理を施した情報を録画コマンドへ変換し（ステップＳ１０１０）、さらに録画コマンドを電子メールへ変換する（ステップＳ１０１１）。そして、その電子メールを該当する録画装置１０７へ送信する（ステップＳ１０１２）。
【００５０】
つぎに、図１２において、録画装置１０７からの録画処理確認情報を受信するのを待って（ステップＳ１２０１）、受信した場合（ステップＳ１２０１：Ｙｅｓ）は、録画処理確認情報の内容から、録画が可能か否かを判断する（ステップＳ１２０１）。ここで、録画が可能な場合（ステップＳ１２０２：Ｙｅｓ）は、録画処理確認通知をおこなう（ステップＳ１２０３）。図１３は、その際に情報端末装置において表示される録画処理確認通知の一例を示している。ユーザによって『確認』ボタン１３０１が押下されることによって、この表示画面を消去し、一連の処理は終了する。また、『取消』ボタン１３０２が押下されることによって、録画処理確認がなされた録画の予約を取り消す。そして、一連の処理を終了する。
【００５１】
一方、ステップＳ１２０２において、録画が可能でない場合（ステップＳ１２０２：Ｎｏ）は、登録された他の録画装置があるか否かを判断し（ステップＳ１２０４）、他の録画装置１０７がある場合（ステップＳ１２０４：Ｙｅｓ）は、他の録画装置は利用ができるか否かを判断する（ステップＳ１２０５）。そして、他の録画装置がない場合（ステップＳ１２０４：Ｎｏ）または他の録画装置の利用ができない場合（ステップＳ１２０５：Ｎｏ）は、エラー通知をおこなう（ステップＳ１２０６）。
【００５２】
図１４は、その際に情報端末装置において表示されるエラー通知の一例を示している。ユーザによって『確認』ボタン１４０１が押下されることによって、この表示画面を消去し、一連の処理は終了する。録画が可能でない理由として、録画装置１０７にテープが入っていなかったり、録画装置１０７のＨＤの録画残量が足りなかったり、録画装置１０７の先行予約と重なっていたりする場合などが挙げられ、その理由もあわせて表示される。
【００５３】
（録画装置情報取得処理の内容）
つぎに、図１０に示した録画装置情報取得処理（ステップＳ１００８）の内容について説明する。図１５は、この発明の実施の形態にかかる番組録画管理サーバーの別の処理の手順を示すフローチャートであり、録画装置情報取得処理の内容を示している。図１５のフローチャートにおいて、まず、取得した番組録画指示情報に録画装置１０７に関する情報があったか否かを判断する（ステップＳ１５０１）。
【００５４】
ここで、番組録画指示情報に録画装置１０７に関する情報があった場合（ステップＳ１５０１：Ｙｅｓ）は、その情報によって録画装置１０７を特定することができるので、一連の処理は終了し、その後、図１０に示したステップＳ１０１０へ移行する。一方、番組録画指示情報に録画装置１０７に関する情報がなかった場合（ステップＳ１５０１：Ｎｏ）は、図７に示した録画装置情報ＤＢ５０２にあらかじめ登録されている録画装置情報をユーザＩＤを用いて取得する（ステップＳ１５０２）。ここで、録画装置情報があるか否かを判断し（ステップＳ１５０３）、録画装置情報があった場合（ステップＳ１２０３：Ｙｅｓ）は、その後、図１０に示したステップＳ１００９へ移行する。
【００５５】
ここで、録画装置情報がなかった場合（ステップＳ１５０３：Ｎｏ）は、エラー通知をおこない（ステップＳ１５０４）、一連の処理を終了する。その際に表示する録画処理確認通知の一例を示す。図１６は、その際に情報端末装置において表示されるエラー通知の一例を示している。ユーザによって『確認』ボタン１６０１が押下されることによって、この表示画面を消去し、一連の処理は終了する。したがって、ユーザは、録画装置１０７を指定して再度要求し直すことになる。
【００５６】
（録画情報特定処理の内容）
つぎに、図１０に示した録画情報特定処理（ステップＳ１００９）の内容について説明する。図１７は、この発明の実施の形態にかかる番組録画管理サーバーの別の処理の手順を示すフローチャートであり、録画情報特定処理の内容を示している。
【００５７】
図１７のフローチャートにおいて、まず、取得した番組録画指示情報から録画対象となっている番組を特定することができるか否かを判断する（ステップＳ１７０１）。番組を特定することができない場合とは、たとえば、当該放送エリアにおいて使用されていないチャンネルが指定されている場合である。また、たとえば、複数の番組にまたがった時刻指定がなされていたり、番組開始・終了の時刻とは大幅に異なる時刻指定がなされていたりして、番組録画指示情報に含まれる録画チャンネル、録画開始時刻、録画終了時刻に関する情報からは、所望の番組がどの番組なのかが決められない場合などが考えられる。
【００５８】
具体的には、たとえば、録画チャンネル、録画開始時刻、録画終了時刻に関する情報が、図９に示す『放送エリアＢ』であって、録画チャンネル『ＣＨ１』、録画開始時刻『２００３．０２．２８，１０：１０』、録画終了時刻『２００３．０２．２８，１７：００』となっていた場合、録画すべき番組が『ニュース１０』なのか、『ドラマＡ』なのか、『ニュース１０』と『ドラマＡ』との間に放映される番組なのか、それとも、それらの番組のすべてを含むのかが特定できない。これは、一般的にはユーザの時刻指定ミスなどに起因することが考えられる。したがって、番組録画指示情報に、例えば、録画時刻に関する情報だけではなく、番組に関する情報（放送番組名や番組ＩＤ）などが含まれている場合は、容易に番組を特定することができる。
【００５９】
一方、録画チャンネル、録画開始時刻、録画終了時刻に関する情報が、図９に示す『放送エリアＢ』であって、録画チャンネル『ＣＨ４』、録画開始時刻『２００３．０２．２８，１９：００』、録画終了時刻『２００３．０２．２８，２０：００』となっていた場合は、『ドラマＢ（録画開始時刻「２００３．０２．２８，１９：００」、録画終了時刻「２００３．０２．２８，１９：５６」）を指示している蓋然性が高いため、『ドラマＢ』と特定することができるとするのがよい。
【００６０】
このように、ステップＳ１７０１において、番組を特定することができなかった場合（ステップＳ１７０１：Ｎｏ）は、エラー通知をおこなう（ステップＳ１７０２）。
【００６１】
図１８はその際に表示されるエラー通知の一例を示している。図１８において、図示は省略するが、さらに、放送エリアにおいて使用されていないチャンネルが指定されている旨、複数の番組にまたがった時刻指定がなされてる旨、番組開始・終了の時刻とは大幅に異なる時刻指定がなされてる旨を、あわせて表示するようにしてもよい。これによって、ユーザは容易に追加情報（あるいは修正情報）を入力することができるようになる。そして、ユーザによって『確認』ボタン１８０１が押下されることによって、この表示画面を消去する。
【００６２】
その後別の情報（追加情報）があった場合（ステップＳ１７０３：Ｙｅｓ）には、ステップＳ１７０１へ戻って、ステップＳ１７０１〜Ｓ１７０３の処理を繰り返しおこなう。そして、ステップＳ１７０３において別の情報がなかった場合、すなわち別の情報なくて所定時間が経過した場合（ステップＳ１７０３：Ｎｏ）は、録画する番組を特定できないため一連の処理を終了する。
【００６３】
ステップＳ１７０１において、番組を特定することができた場合（ステップＳ１７０１：Ｙｅｓ）は、ステップＳ１００７において取得された情報端末装置の位置情報とステップＳ１００８において取得された録画装置情報のうちの録画装置１０７の位置情報とからそれぞれ放送エリアを特定し、両者が同じ放送エリアか否かを判断する（ステップＳ１７０４）。
【００６４】
ステップＳ１７０４において、両者が同じ放送エリアである場合（ステップＳ１７０４：Ｙｅｓ）は、ステップＳ１７１０へ移行し、その番組の放送エリアにおける録画チャンネル、録画開始時刻、録画終了時刻を取得する（ステップＳ１７１０）。一方、両者が同じ放送エリアでない場合（ステップＳ１７０４：Ｎｏ）は、その番組を放送エリアＡ、すなわち録画装置１０７の放送エリアにおいて、図５に示した番組スケジュール情報ＤＢ５０４を用いて検索する（ステップＳ１７０５）。検索の方法は上述の通りである。
【００６５】
そして、特定された番組と同一の番組があるか否かを判断する（ステップＳ１７０６）。ここで、同一の番組がなかった場合（ステップＳ１７０６：Ｎｏ）は、エラー通知をおこない（ステップＳ１７０７）、一連の処理を終了する。図１９はその際に表示されるエラー通知の一例を示している。図１９において、ユーザによって『確認』ボタン１９０１が押下されることによって、この表示画面を消去する。
【００６６】
一方、ステップＳ１７０６において、同一番組があった場合（ステップＳ１７０６：Ｙｅｓ）は、つぎに、その番組が放送エリアＡにおいてすでに放送済みであるか否かを判断する（ステップＳ１７０８）。ここで、すでに放送済みであった場合（ステップＳ１７０８：Ｙｅｓ）は、エラー通知をおこない（ステップＳ１７０９）、一連の処理を終了する。
【００６７】
図２０はその際に表示されるエラー通知の一例を示している。図２０において、ユーザによって『確認』ボタン２００１が押下されることによって、この表示画面を消去する。この放送済みであるか否かの判断は、たとえば、番組録画指示情報を受信した時間と特定された番組の放送終了時間とを比較することによりおこなうことができる。より具体的には、たとえば、番組録画指示情報を受信した時間が特定された番組の放送終了時間より後の時間であった場合には放送済みであると判断する。また、番組情報データベース１０２に、放送状況に関する上記ステータス情報を記憶しておき、そのステータス情報を番組情報データベース１０２から取得することによって、放送済みであるか否かを判断するようにしてもよい。
【００６８】
ステップＳ１７０７において、未だ放送済みでない場合（ステップＳ１７０８：Ｎｏ）は、つぎに、その番組の放送エリアＡにおける録画チャンネル、録画開始時刻、録画終了時刻を取得する（ステップＳ１７１０）。そして、上記録画開始時刻がすでに経過しているか否かを判断し（ステップＳ１７１１）、経過している場合（ステップＳ１７１１：Ｙｅｓ）は、直ちに録画開始する旨の指示に変更する（ステップＳ１７１２）。たとえば、録画開始時刻と録画終了時刻の設定による予約録画ではなく、ダイレクト録画の指示をおこなう。この場合では、録画情報として録画チャンネルおよび録画終了時刻に関する情報を録画装置１０７に送信することになる。一方、上記録画開始時刻が未だ経過していない場合（ステップＳ１７１１：Ｎｏ）は、図１０のステップＳ１０１０へ移行する。
【００６９】
（情報端末装置の処理手順）
つぎに、この発明の実施の形態にかかる情報端末装置１０３〜１０５の処理の手順について説明する。図２１は、この発明の実施の形態にかかる情報端末装置の処理の手順を示すフローチャートである。図２１のフローチャートにおいて、まず、番組あるいは番組のスケジュール情報を番組表示部４０２に表示する（ステップＳ２１０１）。そして、ユーザからの番組の指定があったか否かを判断する（ステップＳ２１０２）。現在放送中の番組も所定のキーなどの押下によっておこなうことができる。
【００７０】
ユーザからの番組の指定を待って、指定があった場合（ステップＳ２１０２：Ｙｅｓ）は、つぎに、ユーザからの指定した番組を録画する録画装置１０７について指定があったか否かを判断し、指定があった場合（ステップＳ２１０３：Ｙｅｓ）は、自端末の位置情報と録画装置情報を含む番組録画指示情報を作成し（ステップＳ２１０４）、指定がなかった場合（ステップＳ２１０３：Ｎｏ）は、録画装置情報を含まない番組録画指示情報を作成する（ステップＳ２１０５）。その後、作成された番組録画指示情報を番組録画管理サーバー１０１へ送信する（ステップＳ２１０６）。
【００７１】
その後、番組録画管理サーバー１０１からの録画処理確認情報を受信したか否かを判断する（ステップＳ２１０７）。ここで、受信するのを待って、受信した場合（ステップＳ２１０７：Ｙｅｓ）は、受信された録画処理確認情報を番組表示部４０２に表示し（ステップＳ２１０８）、一連の処理を終了する。
【００７２】
以上説明したように、この実施の形態によれば、番組の録画指示に関する番組録画指示情報を情報端末装置１０３〜１０５から番組録画管理サーバー１０１へ送信し、番組録画指示情報に基づいて特定された番組に対応する、少なくとも録画チャンネル、録画開始時刻および録画終了時刻に関する録画情報を番組録画管理サーバー１０１から録画装置１０７へ送信し、録画情報に基づいて録画装置１０７が番組を録画するため、ユーザは録画を希望する番組を特定する指示を番組録画管理サーバー１０１へ送信するだけで、正確な放送開始時刻、放送終了時刻、放送チャンネルを把握することなく、容易にかつ確実に当該番組の録画操作または録画予約操作をすることができるという効果を奏する。
【００７３】
また、この実施の形態によれば、情報端末装置１０３〜１０５が存在する位置情報および録画装置１０７が存在する位置情報の少なくともいずれかに基づいて、録画装置１０７に録画させる番組に対応する、少なくとも録画チャンネル、録画開始時刻および録画終了時刻を特定するため、情報端末装置１０３〜１０５が存在する位置に対応する放送エリアと、録画装置１０７が存在する位置に対応する放送エリアとが異なる場合であっても、ユーザは録画装置１０７の放送エリアにおける、録画を希望する番組の放送開始時刻、放送終了時刻、放送チャンネルを知ることなく、すなわち放送エリアの違いを考慮することなく、容易にかつ確実に番組の録画操作または録画予約操作をすることができるという効果を奏する。
【００７４】
また、本実施の形態によれば、放送エリアごとの番組の放送スケジュールに関する番組情報を記憶する番組情報データベース１０２を備え、番組情報データベース１０２によって記憶された番組情報を利用して、録画装置１０７に録画させる番組に対応する、少なくとも録画チャンネル、録画開始時刻および録画終了時刻を特定するため、たとえば放送時刻の突然の変更に対しても録画予約時刻の変更などの対応をとることができる。また、録画の指示が番組の放送後にあった場合でも、当該番組の再放送があるか否かを検索し、ある場合のその再放送の録画をおこなうことができるという効果を奏する。さらに、続編などの当該番組に関連性のある別の番組についてもあわせて検索することができるという効果を奏する。
【００７５】
また、本実施の形態によれば、情報端末装置１０３〜１０４において、放送中の番組または放送予定の番組の放送スケジュールに関する情報を受信し、受信された番組または番組の放送スケジュールに関する情報を表示し、表示されている放送中の番組または放送スケジュールに関する情報にかかる放送予定の番組の録画指示の入力を受け付け、入力が受け付けられた番組の録画指示に関する情報を番組録画管理サーバー１０１へ送信するため、情報端末装置１０３〜１０５において容易に番組の録画指示をすることができるだけでなく、情報端末装置１０３〜１０５において番組を視聴中に、その後からのみの録画を簡易な操作でおこなうことができるという効果を奏する。
【００７６】
また、本実施の形態によれば、情報端末装置１０３〜１０４において、番組を録画させる録画装置１０７に関する情報を番組録画管理サーバー１０７へ送信するため、情報端末装置１０３〜１０４において、番組を録画させる所望の録画装置１０７を選択することができるという効果を奏する。
【００７７】
また、本実施の形態によれば、情報端末装置１０３〜１０４において、番組録画管理サーバー１０１から番組の録画の指示に関する情報に対する録画処理確認情報を受信し、受信された動作確認情報を表示するため、録画予約、録画動作などに関する確認情報もユーザが容易に知ることができるという効果を奏する。また、続編などの当該番組に関連性のある別の番組について検索した場合に、録画するかどうかをユーザに通知することができるという効果も奏する。
【００７８】
なお、本実施の形態における番組録画制御方法は、あらかじめ用意されたコンピュータ読み取り可能なプログラムであってもよく、またそのプログラムをサーバーを含むパーソナルコンピュータやワークステーションなどのコンピュータで実行することによって実現される。このプログラムは、ＨＤ、ＦＤ、ＣＤ−ＲＯＭ、ＭＯ（マグネットオプティカルディスク）、ＤＶＤなどのコンピュータで読み取り可能な記録媒体に記録され、コンピュータによって記録媒体から読み出されることによって実行される。また、このプログラムは、インターネットなどのネットワーク１００を介して配布することが可能な伝送媒体であってもよい。
【図面の簡単な説明】
【００７９】
【図１】この発明の実施の形態にかかる番組録画システムの全体構成の一例を示すブロック図である。
【図２】この発明の実施の形態にかかる番組録画システムを構成する各装置のハードウエア構成を示すブロック図である。
【図３】この発明の実施の形態にかかる番組録画管理サーバーの機能的構成を示すブロック図である。
【図４】この発明の実施の形態にかかる情報端末装置の機能的構成を示すブロック図である。
【図５】この発明の実施の形態にかかる番組録画システムの番組情報データベースの構成を示す説明図である。
【図６】この発明の実施の形態にかかる番組録画システムの番組情報データベースの内容を示す説明図である。
【図７】この発明の実施の形態にかかる番組録画システムの番組情報データベースの別の内容を示す説明図である。
【図８】この発明の実施の形態にかかる番組録画システムの番組情報データベースの別の内容を示す説明図である。
【図９】この発明の実施の形態にかかる番組録画システムの番組情報データベースの別の内容を示す説明図である。
【図１０】この発明の実施の形態にかかる番組録画管理サーバーの処理の手順を示すフローチャートである。
【図１１】この発明の実施の形態にかかる情報端末装置に表示される表示画面の一例を示す説明図である。
【図１２】この発明の実施の形態にかかる番組録画管理サーバーの別の処理の手順を示すフローチャートである。
【図１３】この発明の実施の形態にかかる情報端末装置に表示される表示画面の別の一例を示す説明図である。
【図１４】この発明の実施の形態にかかる情報端末装置に表示される表示画面の別の一例を示す説明図である。
【図１５】この発明の実施の形態にかかる番組録画管理サーバーの別の処理の手順を示すフローチャートである。
【図１６】この発明の実施の形態にかかる情報端末装置に表示される表示画面の別の一例を示す説明図である。
【図１７】この発明の実施の形態にかかる番組録画管理サーバーの別の処理の手順を示すフローチャートである。
【図１８】この発明の実施の形態にかかる情報端末装置に表示される表示画面の別の一例を示す説明図である。
【図１９】この発明の実施の形態にかかる情報端末装置に表示される表示画面の別の一例を示す説明図である。
【図２０】この発明の実施の形態にかかる情報端末装置に表示される表示画面の別の一例を示す説明図である。
【図２１】この発明の実施の形態にかかる情報端末装置の処理の手順を示すフローチャートである。
【符号の説明】
【００８０】
１００  ネットワーク
１０１  番組録画管理装置（サーバー）
１０２  番組情報データベース
１０３  車載端末
１０４  移動端末
１０５  固定端末
１０６  無線基地局
１０７  録画装置
１０８  ＧＰＳ衛星
３０１  番組録画指示情報受信部
３０２  録画情報特定部
３０３  録画情報送信部
３０４  録画動作確認情報受信部
３０５  録画処理確認情報送信部
４０１  番組情報受信部
４０２  番組表示部
４０３  番組録画指示入力部
４０４  番組録画指示情報送信部
４０５  録画処理確認情報受信部
４０６  現在位置情報取得部
５０１  ユーザ情報データベース（ＤＢ）
５０２  録画装置情報データベース（ＤＢ）
５０３  チャンネル情報データベース（ＤＢ）
５０４  番組スケジュール情報データベース（ＤＢ）
【図１】
2005101970.tif 000003
【図２】
2005101970.tif 000004
【図３】
2005101970.tif 000005
【図４】
2005101970.tif 000006
【図５】
2005101970.tif 000007
【図６】
2005101970.tif 000008
【図７】
2005101970.tif 000009
【図８】
2005101970.tif 000010
【図９】
2005101970.tif 000011
【図１０】
2005101970.tif 000012
【図１１】
2005101970.tif 000013
【図１２】
2005101970.tif 000014
【図１３】
2005101970.tif 000015
【図１４】
2005101970.tif 000016
【図１５】
2005101970.tif 000017
【図１６】
2005101970.tif 000018
【図１７】
2005101970.tif 000019
【図１８】
2005101970.tif 000020
【図１９】
2005101970.tif 000021
【図２０】
2005101970.tif 000022
【図２１】
2005101970.tif 000023